(57)【要約】【課題】  台板の一端中央部に連設する挾持片が台板側との間で磁石によって開閉する作動が円滑かつ迅速にできる用紙挾みを提供することを目的とする。【解決手段】  本発明は、全体を熱可塑性被膜２によって被套した芯材３の一側端部に設けた通孔５に周囲に間隙部６を形成して嵌合した磁石板４を設けて成る台板１を設け、前記間隙部の一部は溶着７して磁石板を前記被膜内に設置しかつ上下に浮動し得るようにし、台板の一端中央部にヒンジ部９を介して連継した芯材１０から成る挾持片８を熱可塑性被膜２'によって構成し、この挾持片の外縁中央部に摘み凹部１１を設けるとともに挾持片の内側部の前記磁石板の対向位置に金属板１２を設置して成るものである。【選択図】    図５
2006130726.tif 000002
【特許請求の範囲】
【請求項１】
全体を熱可塑性被膜によって被套した芯材の一側端部に設けた通孔に周囲に間隙部を形成して嵌合した磁石板を設けて成る台板を設け、前記間隙部の一部は溶着して磁石板を前記被膜内に設置しかつ上下に浮動し得るように成り、このように成る台板の一端中央部にヒンジ部を介して連継した芯材から成る挾持片を熱可塑性被膜によって構成し、この挾持片の外縁中央部に摘み凹部を設けるとともに挾持片の内側部の前記磁石板の対向位置に金属板を設置して成ることを特徴とする用紙挾み。
【請求項２】
台板および挾持板から成る全体を真空ノリ張り加工法により構成して成る請求項１に記載した用紙挾み。
【発明の詳細な説明】
【技術分野】
【０００１】
本発明は、用紙挾みに関するものであり、磁石の磁力によって用紙類を保持するものである。
【背景技術】
【０００２】
この種の従来技術としては、実用新案登録第３０２５１５５号に係る考案のように、台板全体を熱可塑性合成樹脂シートで被覆し、その所定箇所に磁性金属板を設置し、この台板にヒンジ部を介して開閉し得るように設けた挾持片に磁石板を設置し、この両磁性体間に用紙を挾持するようにしたものがある。
【０００３】
しかし、この考案にあっては、磁力が被覆した合成樹脂シートやヨークを介して伝達されるものであるため、吸着力が低下し、挾み込む紙等の枚数に制限があるという欠点があった。
【０００４】
また、実用新案登録第３０６４２３５号や同第３０７７６５２号に係る考案は、磁石を保持した挾持片を設け本体の対向位置に被吸着部を設けたものであり、又は磁石又は磁着性を有した金属板を板部又は挾着片の芯材と同じ厚みに形成するものである。
【０００５】
しかし、これらの考案にあっては、磁石又は磁着性を有する金属板を台板及び挾着片に取付ける製造工程が複雑であるばかりでなく、取付け状態が不安定になり、多頻度の使用や耐久性に疑問のある非実用的なものとなっていた。
【０００６】
【特許文献１】登録実用新案第３０２５１５５号公報
【特許文献２】登録実用新案第３０６４２３５号公報
【特許文献３】登録実用新案第３０７７６５２号公報
【発明の開示】
【発明が解決しようとする課題】
【０００７】
そこで、本発明はこのような従来物の欠点を一掃した実用性の高い用紙挾みを提供することを目的とするものである。
【課題を解決するための手段】
【０００８】
本発明は、全体を熱可塑性被膜によって被套した芯材の一側端部に設けた通孔に周囲に間隙部を形成して嵌合した磁石板を設けて成る台板を設け、前記間隙部の一部は溶着して磁石板を前記被膜内に設置しかつ上下に浮動し得るように成り、このように成る台板の一端中央部にヒンジ部を介して連継した芯材から成る挾持片を熱可塑性被膜によって構成し、この挾持片の外縁中央部に摘み凹部を設けるとともに挾持片の内側部の前記磁石板の対向位置に金属板を設置して成るものである。
【発明の効果】
【０００９】
第１に、台板，磁石板及び挾持片，金属板の全体を一体に加熱溶着して成形するものであるから、磁石板は台板の通孔に溶着部と間隙部とによって設置状態を保つことができ、また金属板は前記磁石板との接離状態を常に良好に保つことができる。
【００１０】
第２に、金属板を内蔵する挾持片は親指を掛けるに適する摘み凹部を設けているが、同時に挾持片内の金属板が吸着している台板側の磁石板を間隙部を介して若干浮動せしめることができるから、親指の掛け具合を良好な状態下で挾持片を持ち上げることができ、迅速かつ確実な開口作動をすることができるようになる。
【００１１】
第３に、磁石板と金属板との間は薄い樹脂被膜だけであるから、用紙を挾着保持する力が強大となる。
【００１２】
第４に、台板の裏側上側端部には通孔内の磁石板が裏面にも表われた被膜状態にあるから、各種スチール家具やホワイトボードなどに容易に吸着して取付けておくことができる。
【００１３】
第５に、台板及び挾持片の被膜全体は真空ノリ張り製法によって構成されるから、見栄えや完成度は良好となり、商品価値を高めることができる。
【発明を実施するための最良の形態】
【００１４】
いま本台板に必要な用紙を挾むときは、まず親指を挾持片の摘み凹部に掛けてこれを上方に開くと、挾持片内の金属板が相対する台板側の磁石板をやや持ち上げ気味に浮上しつつ離間するようになるから、挾持片はヒンジを介して開口するようになる。（図４→図５参照）
【００１５】
かかる状態において用紙を台板上に重ね置いた後、前記挾持片を閉口すれば、再び挾持片の金属板が磁石板に吸着されて用紙類を固定する。
【００１６】
台板および挾持片から成る全体は、真空ノリ張り加工法によって製造する。
【実施例】
【００１７】
１は全体を熱可塑性被膜２によって被套された紙製芯材３から成る台板で、この台板の形状や大きさ等は任意である。
【００１８】
４，４は前記被膜された台板１の芯材３の一側端部の適当内部に設けた通孔５，５に裏面に及んで周囲に間隙部６を形成して嵌合した磁石板で、この磁石板も前記被膜２によって一体に被套されるか、磁石板を通孔との間隙部６は溶着して磁石板を被膜内に設置するか、磁石板部全体は周囲の前記間隙部６及び溶着部７によって上下に浮動し得るように成る。
【００１９】
８は前記台板１の一端中央部に設置した磁石板４，４に近接しヒンジ部９を介して連継した紙製芯材１０から成る挾持片で、この挾持片の外縁中央部には摘み凹部１１を設け、挾持片全体は熱可塑性被膜２'によって一体に被套される。
【００２０】
１２，１２は前記挾持片８の内側部の前記磁石板４，４に対向する位置に設置した金属板で、この金属板は挾持片８の開閉時に前記磁石板４，４と接離するようになる。
【図面の簡単な説明】
【００２１】
【図１】一実施例の全体の閉口時の正面図
【図２】図１の背面図
【図３】全体の開口時の正面図
【図４】図１Ａ−Ａ線の拡大側断面図
【図５】図４の作用時の拡大側断面図
【符号の説明】
【００２２】
１                    台板
２，２'              熱可塑性被膜
３                    芯材
４，４                磁石板
５，５                通孔
６，６                間隙部
７，７                溶着部
８                    挾持片
９                    ヒンジ部
１０                  芯材
１１                  摘み凹部
１２，１２            金属板
【図１】
2006130726.tif 000003
【図２】
2006130726.tif 000004
【図３】
2006130726.tif 000005
【図４】
2006130726.tif 000006
【図５】
2006130726.tif 000007